(57)【要約】      （修正有）【課題】イグニッションスイッチがオフされている間の消費電力を低減することができる組電池制御装置を提供する。【解決手段】車両に搭載された電力源としての組電池の制御を行う組電池制御装置であって、制御マイコンと、監視マイコンとを備え、制御マイコンは、イグニッションスイッチがオフであると検出されると、監視マイコンに対して、待機モードとシャットダウンモードのいずれかのモードに遷移するように指令を行うものであり、監視マイコンは、イグニッションスイッチがオフであると検出されると共に、制御マイコンへの電源供給が停止されたと判定され、且つ、制御マイコンからモード指令を受けていない場合、シャットダウンモードへの遷移処理を行う（Ｓ２３１，Ｓ２３４）。【選択図】図６
2014058290.tif 000002
【特許請求の範囲】
【請求項１】
車両に搭載された電力源としての組電池（１０）の制御を行う組電池制御装置であって、
前記組電池の制御を行う制御マイコン（１２）と、
前記制御マイコンに電源供給を行う第１電源回路（４４）と、
時間を計時する第１計時手段（１４２）を有するとともに、前記制御マイコンの動作を監視する監視モードと、自身への電源供給を停止するシャットダウンモードと、監視モードよりも低消費電力で動作を始めると共に前記計時手段で時間の計時を開始して、計時した時間が所定時間に達すると前記第１電源回路に対して前記制御マイコンへの電源供給を指示する待機モードとを有する監視マイコン（１４）と、
前記監視マイコンに電源供給を行う第２電源回路（４８）と、を備え、
前記制御マイコンは、
前記車両のイグニッションスイッチがオフであるか否かを判定する第１判定手段（Ｓ１１０）と、
前記第１判定手段にてイグニッションスイッチがオフであると判定されると、前記監視マイコンに対して、待機モードとシャットダウンモードのいずれかのモードに遷移するように指令を行うモード指令手段（Ｓ１２４，Ｓ１２５）と、
前記モード指令手段にて指令を行った後に、前記第１電源回路に対して電源供給の停止を指示する第１指示手段（Ｓ１２６）と、を含み、
前記監視マイコンは、
前記イグニッションスイッチがオフであるか否かを判定する第２判定手段（Ｓ２１０）と、
前記第１電源回路から前記制御マイコンへの電源電圧を監視し、該電源電圧に基づいて前記制御マイコンの電源供給が停止されたか否かを判定する電圧監視手段（Ｓ２２０）と、
前記第２判定手段にてイグニッションスイッチがオフであると検出されると共に、前記電圧監視手段にて電源供給が停止されたと判定されると、前記モード指令手段からの指令に応じて待機モードへの遷移処理又はシャットダウンモードへの遷移処理を行い、シャットダウンモードへの遷移処理を行った後、前記第２電源回路に対して電源供給の停止を指示する終了処理手段（Ｓ２３０）と、を含み、
前記終了処理手段は、前記第２判定手段にてイグニッションスイッチがオフであると検出されると共に、前記電圧監視手段にて電源供給が停止されたと判定され、且つ、前記モード指令手段からの指令を受けていない場合は、シャットダウンモードへの遷移処理を行うことを特徴とする組電池制御装置。
【請求項２】
前記終了処理手段は、前記第２判定手段にてイグニッションスイッチがオフであると検出されると共に、前記電圧監視手段にて電源供給が停止されたと判定された状態で、前記モード指令手段からの指令を受けていない場合は前記監視マイコンと前記制御マイコンとの通信異常とみなして通信異常回数をカウントするものであり、前記第２判定手段にてイグニッションスイッチがオフであると検出されると共に、前記電圧監視手段にて電源供給が停止されたと判定され、且つ、前記モード指令手段からの指令を受けていないことに加えて、通信異常回数が規定値（２以上の自然数）に達していることを条件にシャットダウンモードへの遷移処理を行い、通信異常回数が規定値に達していない場合は待機モードへの遷移処理を行うことを特徴とする請求項１に記載の組電池制御装置。
【請求項３】
前記制御マイコンは、前記監視マイコンに対して待機モードの継続時間を示す待機モード時間を送信するものであり、
前記監視マイコンは、待機モードで動作を始めると前記計時手段での時間の計時を開始して、計時した時間が待機モード時間に達すると、所定時間に達したとみなして前記第１電源回路に対して前記制御マイコンへの電源供給を指示することを特徴とする請求項１又は２に記載の組電池制御装置。
【請求項４】
前記制御マイコンは、前記組電池の残容量を得るものであり、該組電池の残容量が多いほど待機モード時間を長く設定し、設定した待機モード時間を前記監視マイコンに送信することを特徴とする請求項３に記載の組電池制御装置。
【請求項５】
前記制御マイコンは、前記組電池の分極が解消する解消時間を推測すると共に、該解消時間をイグニッションオフ後の一回目の待機モード時間として前記監視マイコンに送信することを特徴とする請求項３又は４に記載の組電池制御装置。
【請求項６】
前記制御マイコンは、イグニッションオフ後の待機モードの順番に関連付けられた複数の待機モード時間を含む待機モード時間パターンを前記監視マイコンに対して送信するものであり、
前記監視マイコンは、待機モードで動作した回数をカウントするものであり、待機モードで動作した回数と待機モード時間パターンとから、今回の待機モードに採用する待機モード時間を選択することを特徴とする請求項３乃至５のいずれか一項に記載の組電池制御装置。
【請求項７】
前記監視マイコンは、前記第１計時手段とは異なるものであり、時間を計時する第２計時手段（１４１）と、前記第１計時手段の計時結果と前記第２計時手段の計時結果とを比較する比較手段とを有し、
前記終了処理手段は、前記比較手段が前記第１計時手段の計時結果と前記第２計時手段の計時結果とが異なると判断した場合、待機モードへの遷移処理を行わずに、シャットダウンモードへの遷移処理を行うことを特徴とする請求項１乃至６のいずれか一項に記載の組電池制御装置。
【請求項８】
前記終了処理手段は、前記比較手段が前記第１計時手段の計時結果と前記第２計時手段の計時結果とが異なると判断した場合、両計時結果の誤差を算出し、該誤差に基づいて前記第１計時手段を補正することを特徴とする請求項７に記載の組電池制御装置。
【発明の詳細な説明】
【技術分野】
【０００１】
本発明は、車両に搭載された電力源としての組電池の制御を行う組電池制御装置に関するものである。
【背景技術】
【０００２】
近年の車載制御装置では、機能安全が求められる傾向が強まり、制御装置として、本来の制御を実行する制御マイコンに加えて、その制御マイコンの動作を監視するための監視マイコンを設けることが一般化しつつある。この監視マイコンは、主な目的が制御マイコンの監視であるため、制御マイコンに比較して、低能力で、回路規模も小さいものを用いることができる。従って、監視マイコンは、通常、制御マイコンよりも消費電力が小さくなる。
【０００３】
従来、このように二つのマイコンを有する車載制御装置の一例として、特許文献１に開示された車両用電子制御装置がある。この車両用電子制御装置は、主マイコンと、副マイコンと、副マイコンに対して電源を供給する第２給電手段とを有するものである。副マイコンは、自己が動作を停止しても良い状態になったと判断すると、主マイコンへ、電源遮断許可信号を出力する。そして、主マイコンは、副マイコンからの電源遮断許可信号を受けたことを条件として、副マイコン用電源制御信号の出力停止を行う。これによって、副マイコンへの電源の供給が停止される。
【先行技術文献】
【特許文献】
【０００４】
【特許文献１】特開２００９−１６６５４９号公報
【発明の概要】
【発明が解決しようとする課題】
【０００５】
しかしながら、上述の車両用電子制御装置において、主マイコンと副マイコンとの間の通信に異常が発生した場合、主マイコンは、副マイコンからの電源遮断許可信号を受信できない可能性がある。このような場合、例えばイグニッションスイッチがオフになって制御が不要となっても、副マイコンへの電源供給を即座に遮断することができない。よって、イグニッションスイッチがオフされている間であっても、副マイコンへの電源供給が継続されて消費電力が増大する。
【０００６】
本発明は、上記問題点に鑑みなされたものであり、イグニッションスイッチがオフされている間の消費電力を低減することができる組電池制御装置を提供することを目的とする。
【課題を解決するための手段】
【０００７】
上記目的を達成するために本発明は、
車両に搭載された電力源としての組電池（１０）の制御を行う組電池制御装置であって、
組電池の制御を行う制御マイコン（１２）と、
制御マイコンに電源供給を行う第１電源回路（４４）と、
時間を計時する第１計時手段（１４２）を有するとともに、制御マイコンの動作を監視する監視モードと、自身への電源供給を停止するシャットダウンモードと、監視モードよりも低消費電力で動作を始めると共に第１計時手段で時間の計時を開始して、計時した時間が所定時間に達すると第１電源回路に対して前記制御マイコンへの電源供給を指示する待機モードとを有する監視マイコン（１４）と、
監視マイコンに電源供給を行う第２電源回路（４８）と、を備え、
制御マイコンは、
車両のイグニッションスイッチがオフであるか否かを判定する第１判定手段（Ｓ１１０）と、
第１判定手段にてイグニッションスイッチがオフであると判定されると、監視マイコンに対して、待機モードとシャットダウンモードのいずれかのモードに遷移するように指令を行うモード指令手段（Ｓ１２４，Ｓ１２５）と、
モード指令手段にて指令を行った後に、第１電源回路に対して電源供給の停止を指示する第１指示手段（Ｓ１２６）と、を含み、
監視マイコンは、
イグニッションスイッチがオフであるか否かを判定する第２判定手段（Ｓ２１０）と、
第１電源回路から制御マイコンへの電源電圧を監視し、電源電圧に基づいて制御マイコンの電源供給が停止されたか否かを判定する電圧監視手段（Ｓ２２０）と、
第２判定手段にてイグニッションスイッチがオフであると検出されると共に、電圧監視手段にて電源供給が停止されたと判定されると、モード指令手段からの指令に応じて待機モードへの遷移処理又はシャットダウンモードへの遷移処理を行い、シャットダウンモードへの遷移処理を行った後、第２電源回路に対して電源供給の停止を指示する終了処理手段（Ｓ２３０）と、を含み、
終了処理手段は、第２判定手段にてイグニッションスイッチがオフであると検出されると共に、電圧監視手段にて電源供給が停止されたと判定され、且つ、モード指令手段からの指令を受けていない場合は、シャットダウンモードへの遷移処理を行うことを特徴とする。
【０００８】
このように、監視マイコンは、イグニッションスイッチがオフであり、且つ、制御マイコンへの電源供給が停止された場合、制御マイコンからの指令に応じて待機モードかシャットダウンモードに遷移するものである。しかしながら、監視マイコンは、制御マイコンからの指令を受けていない場合、シャットダウンモードへ遷移するので、監視マイコンと制御マイコンとの通信に異常が発生したとしても、シャットダウンモードへ遷移することができる。言い換えると、監視マイコンは、制御マイコンに依存することなく、シャットダウンモードへ遷移することができる。よって、イグニッションスイッチがオフされている間の消費電力を低減することができる。また、監視マイコンは、イグニッションスイッチがオフであり、且つ、制御マイコンへの電源供給が停止された場合にシャットダウンモードに遷移するため、制御マイコンに対して電源供給がされているにもかかわらず、シャットダウンモードに遷移することを抑制することができる。
【０００９】
また、本発明の終了処理手段は、第２判定手段にてイグニッションスイッチがオフであると検出されると共に、電圧監視手段にて電源供給が停止されたと判定された状態で、モード指令手段からの指令を受けていない場合は監視マイコンと制御マイコンとの通信異常とみなして通信異常回数をカウントするものであってもよい。この場合、終了処理手段は、第２判定手段にてイグニッションスイッチがオフであると検出されると共に、電圧監視手段にて電源供給が停止されたと判定され、且つ、モード指令手段からの指令を受けていないことに加えて、通信異常回数が規定値（２以上の自然数）に達していることを条件にシャットダウンモードへの遷移処理を行い、通信異常回数が規定値に達していない場合は待機モードへの遷移処理を行う。
【００１０】
このようにすることによって、監視マイコンは、イグニッションスイッチがオフであり、制御マイコンへの電源供給が停止され、且つ、制御マイコンからの指令を受けていない場合に、即座にシャットダウンモードへ遷移することを抑制することができる。言い換えると、監視マイコンは、通信異常が発生して制御マイコンから指令を受けていない場合であっても、通信異常回数が規定値に達するまでは、待機モードに遷移することができる。よって、通信異常が発生しても、通信異常回数が規定値に達するまでは、イグニッションスイッチがオフである場合に制御マイコンへの電源供給を行うことができる。
【図面の簡単な説明】
【００１１】
【図１】実施形態における電池制御装置の概略構成を示すブロック図である。
【図２】実施形態における監視マイコンの状態遷移図である。
【図３】実施形態における制御マイコンの通常処理動作を示すフローチャートである。
【図４】実施形態における制御マイコンの終了処理動作を示すフローチャートである。
【図５】実施形態における監視マイコンの通常処理動作を示すフローチャートである。
【図６】実施形態における監視マイコンの終了処理動作を示すフローチャートである。
【図７】実施形態における電池制御装置の電源制御シーケンスを示す図面である。
【図８】実施形態における監視マイコンのリアルタイムカウント機能の確認処理を示す図面である。
【図９】変形例１における電池制御装置の電源制御シーケンスを示す図面である。
【図１０】変形例２における監視マイコンの通常処理動作を示すフローチャートである。
【図１１】変形例２における監視マイコンの終了処理動作を示すフローチャートである。
【図１２】変形例２における電池制御装置の電源制御シーケンスを示す図面である。
【発明を実施するための形態】
【００１２】
以下、本発明の実施形態を図に基づいて説明する。
【００１３】
（実施形態）
まず、本発明の第１実施形態による組電池制御装置１００（以下、単に制御装置１００とも称する）について、図面を参照しつつ説明する。なお、本実施形態による制御装置１００は、いわゆるハイブリッド車両（プラグインハイブリッド車両を含む）や電気車両のように、電気モータを走行駆動源とする車両に搭載されるものである。これらの車両は、組電池１０により供給される電力により、走行用電気モータが駆動される。また、組電池１０は、回生ブレーキにより充電されたり、発電用モータを備えている場合には、その発電用モータによって発電された電力によって充電されたりする。さらに、プラグインハイブリッド車両や電気車両の場合には、組電池１０は、いわゆる充電スタンドにて充電することも可能である。このように、組電池１０は、車両の走行に伴って、充放電が繰り返し実行されるものである。また、プラグインハイブリッド車両や電気車両の場合には、組電池１０は、走行用電気モータの電力源以外の電力源（例えば、車両内の電装品や車両外の電化製品などの電力源）としても使用することができる。つまり、制御装置１００は、車両に搭載された電力源としての組電池１０の制御を行うものである。
【００１４】
図１は、本実施形態による制御装置１００の全体構成を示している。図１に示されるように、制御装置１００は、組電池１０の状態を監視して組電池１０の制御を行う制御マイコン（メインマイコン）１２と、制御マイコン１２が正常に動作しているか否かを監視する監視マイコン（サブマイコン）１４とを有する。この制御マイコン１２と監視マイコン１４とは、信号線２６を介してデータの授受が可能な構成である。制御マイコン１２と監視マイコン１４とは、例えばＵＡＲＴ通信でデータの授受が可能な構成である。なお、組電池１０は、複数の電池セルが直列に接続されてなるものである。
【００１５】
制御マイコン１２は、前回のイグニッションスイッチがオンされている間に算出された組電池１０に関連する値を含む制御用データを用いて組電池の制御を行う。制御マイコン１２は、例えば、組電池の異常が生じたときには、その異常状態に対処するための処置を実行する。なお、図示は省略するが、制御装置１００には、この制御用データの退避用にＥＥＰＲＯＭが設けられている。
【００１６】
一方、監視マイコン１４は、制御マイコン１２よりも消費電力が小さく、制御マイコン１２の動作を監視する。図２に示すように、監視マイコン１４は、監視モード、待機モード、シャットダウンモードの三つの動作モードを有する。また、図１では図示を省略するが、監視マイコン１４は、待機モードで使用するタイマ（第１計時手段）１４２と、タイマ１４２とは異なるものであり監視モードで使用するタイマ（第２計時手段）１４１とを有している。さらに、監視マイコン１４は、タイマ１４２の確認用のカウンタ１４３を有している。
【００１７】
監視モードは、イグニッションスイッチがオンであるときの動作モードであり、制御マイコン１２の動作を監視するモードである。監視マイコン１４は、例えば、制御マイコン１２から定期的に出力されるランパルス信号に基づき、制御マイコン１２の動作を監視する。また、本実施形態で採用しているように、制御マイコン１２は、監視マイコン１４から定期的に出力されるランパルス信号に基づき、監視マイコン１４の動作を監視するものであってもよい。
【００１８】
シャットダウンモードは、後ほど説明する電源ＩＣ４８から自身（監視マイコン１４）への電源供給を停止するモードである。監視マイコン１４は、シャットダウンモードでは後ほど説明する自己保持信号をオフする。
【００１９】
待機モードは、イグニッションスイッチがオフであるときの動作モードであり、監視モード時よりも低消費電力で動作するモードである。また、監視マイコン１４は、待機モードで動作を始めると、タイマで時間の計時を開始する。そして、監視マイコン１４は、タイマで計時した時間が所定時間に達すると、信号線３２を介して起動信号を出力することで、電源ＩＣ４４に対して制御マイコン１２への電源供給を指示する。これによって、イグニッションスイッチがオフであり、電源ＩＣ４４からの電源供給が停止されている制御マイコン１２を起動させることができる。なお、電源ＩＣ４４は、イグニッションスイッチがオフであり、監視マイコン１４から起動された場合は、組電池１０の均等化処理を実行する。なお、監視マイコンには、イグニッションスイッチオンの割り込み信号を入力として与えるようにしてもよい。均等化処理に関しては後ほど説明する。
【００２０】
この制御マイコン１２と監視マイコン１４には、夫々別の電源供給手段がある。制御マイコン１２は電源ＩＣ（第１電源回路）４４から電源供給され、監視マイコン１４は電源ＩＣ（第２電源回路）４８から電源供給される。更に、電源ＩＣ４４から制御マイコン１２への電源供給は、イグニッションスイッチの状態（オン又はオフ）に対応した信号であるイグニッション信号、制御マイコン１２による自己保持信号、監視マイコン１４による起動信号に応じて実施される。一方、電源ＩＣ４８から監視マイコン１４への電源供給は、イグニッション信号、監視マイコン１４による自己保持信号に応じて実施される。なお、イグニッションスイッチがオンされたことを示すイグニッション信号をオン信号、イグニッションスイッチがオフされたことを示すイグニッション信号をオフ信号とも称する。
【００２１】
以下、この制御マイコン１２と監視マイコン１４を含む制御装置１００の処理動作に関して説明する。また、この制御装置１００の処理動作の説明とともに、その処理に関連する制御装置１００における上記以外の構成、及び組電池１０側（高圧系回路）の構成に関しても説明する。なお、制御装置１００の処理動作に関しては、図７を参照されたい。
【００２２】
まず、制御装置１００の基本的な処理動作に関して説明する。制御マイコン１２は、信号線３５を介してイグニッション信号が入力されるものである。制御マイコン１２は、イグニッションスイッチがオンになると、電源ＩＣ４４から出力される駆動電圧ＶＯＭの提供を受けて起動し、通常動作モードにて動作を開始する。つまり、イグニッションスイッチがオンされることにより、ＯＲゲート３８にオン信号が入力されると、ＯＲゲート３８を介してリレースイッチ４２をオンする信号が出力される。その結果、リレースイッチ４２がオンされると、電源ＩＣ４４から出力される駆動電圧ＶＯＭが制御マイコン１２に供給される。さらに、電源ＩＣ４４は、リレースイッチ４２がオンされると、信号線３０を介して駆動電圧ＶＯＭを制御マイコン１２に供給していることを示すＶＯＭ信号を出力する。
【００２３】
なお、このように、本実施形態では、リレースイッチ４２を採用している。しかしながら、本発明はこれに限定されるものではない。本発明は、リレースイッチのかわりにスイッチング素子（例えばトランジスタ）などを採用することができる。また、後ほど説明するリレースイッチ４６に関しても同様に、スイッチング素子（例えばトランジスタ）などを採用することができる。
【００２４】
更に、制御マイコン１２は、信号線３６を介して自己保持信号を出力（自己保持信号オン）することにより、イグニッションスイッチがオフされた後も、リレースイッチ４２がオンされた状態が維持されるようにする。なお、電源ＩＣ４４は、高性能で消費電力の大きい制御マイコン１２に対して電源供給可能なように、十分な電流容量を有している。
【００２５】
また、制御マイコン１２は、信号線３５を介して入力されたイグニッション信号に基づいて、今回の起動がイグニッション信号によるものであるか否かを判定することができる。そして、制御マイコン１２は、オン信号が入力されている場合は今回の起動がイグニッション信号によるものとみなし、オフ信号が入力されている場合は今回の起動が監視マイコン１４から出力された起動信号によるものとみなす。なお、制御マイコン１２がオン信号で起動することを通常起動又はイグニッションＯＮ起動とも称する。一方、制御マイコン１２が均等化処理のために（起動信号で）起動することを均等化起動又はイグニッションＯＦＦ起動とも称する。
【００２６】
制御マイコン１２は、通常起動の場合は電池制御を行い、均等化起動の場合は均等化処理を行う。また、制御マイコン１２は、イグニッションスイッチがオンである場合、電池制御を行うと共に、図７に示すように監視マイコン１４に監視指令を送って監視マイコン１４との相互監視を行う。このとき、制御マイコン１２は、信号線２６を介して、監視指令を示す信号を監視マイコン１４に送信する。
【００２７】
ここで、制御マイコン１２が行う電池制御の一例を説明する。まず、制御マイコン１２は、組電池１０の温度を検出する温度センサ１６、組電池１０から放電される電流の大きさを検出する電流センサ１８、及び組電池１０を構成する各電池セルが発生する電圧を検出する監視ＩＣ２０からの信号（データ）を取り込む。監視ＩＣ２０は、自己診断機能を備えており、各電池セルの電圧を検出して制御マイコン１２に出力することに加え、例えば内部電源回路電圧など自己診断用電圧を制御マイコン１２に出力することにより、どのような種類の異常が監視ＩＣ２０に発生したかを制御マイコン１２が判断することができる。
【００２８】
その後、制御マイコン１２は、監視ＩＣ２０によって検出された各電池セルの電圧に基づいて、組電池全体の電池容量（残存容量）を算出し、走行用電気モータの駆動状態を制御する上位の制御装置（図示せず）に提供する。その上位の制御装置は、提供された残存容量に基づいて、車両の乗員に、電池残量や、走行可能距離を示す情報を提供したり、ハイブリッド車両においては、エンジン出力と電気モータ出力の比率を決定したりする。
【００２９】
その後、制御マイコン１２は、上述のように取り込んだ各種データ及びダイアグ情報に基づいて、異常が検出されたか否かを判定する。そして、異常が検出された場合には、検出された異常に対処するための処理を実行する。
【００３０】
例えば、組電池１０の温度が所定温度以上に上昇した場合、制御マイコン１２は、図示しないファンを駆動して組電池１０の温度を低下させる処置を施したり、それ以上の温度上昇を抑制するために、組電池１０により供給される電力量を所定電力以下に制限する処理を実行したりする。なお、組電池１０により供給される電力量を制限する場合、制御マイコン１２は、上位の制御装置に対して、使用電力制限指令を送信する。また、組電池１０から通電される電流の大きさが所定電流以上となった場合にも、電流値を制限するために、制御マイコン１２は、上位の制御装置に対して、使用電力制限指令を送信したりする。
【００３１】
また、制御マイコン１２は、例えば、組電池１０の電池容量が上限値に達した場合には、それ以上の充電が行われないように、充電制御を担う制御装置（図示せず）に対して充電を停止するよう通知したり、電池容量が下限値に近づいた場合に、上位の制御装置に対して、組電池１０の電力使用を中止するよう通知したりする。
【００３２】
なお、制御マイコン１２は、このような組電池１０の電池制御を行う際には、前回のイグニッションスイッチがオンされている間に算出された組電池１０に関連する値を含む制御用データを用いて行うようにしてもよい。制御用データは、例えば、分極発生による電池容量算出不可時のための電池容量データバックアップ、電流センサ１８のオフセット学習値、ダイアグ発生時のフリーズフレームデータなどを含む。よって、制御用データは、イグニッションスイッチがオフされた場合であっても失われないようにする必要がある。そこで、後ほど説明するが、制御マイコン１２は、電源ＩＣ４４から自身への電源供給が停止される前に制御用データをＥＥＰＲＯＭに退避（記憶）しておく（シャットダウン処理）。そして、制御マイコン１２は、電源ＩＣ４４から自身への電源供給が開始されて起動すると、ＥＥＰＲＯＭから制御用データを読み出して、上述のような組電池１０の制御を行う。
【００３３】
組電池１０に対する均等化処理は、組電池１０の電圧を検出し、各電池セルの端子間電圧（以下、単に電圧とも称する）ばらつき状況に応じて電池セル毎に電圧の均等化を行うものである。この均等化処理により、充電時に一部の電池セルが満充電状態となったことに起因して、他の電池セルがまだ満充電状態に達していないにも係わらず、それ以上の充電が行い得ない事態の発生を回避することができる。さらに、すべての電池セルを均等に充電できるので、車両走行時の組電池の放電で、一部の電池セルの電池容量が下限値に達したことに起因して、他の電池セルに電池容量が残されているにも係わらず、組電池からの放電を停止あるいは制限するような事態が発生し難くなる。このように、均等化処理を行うことにより、組電池の充電量及び放電量を最大化することが可能となる。従って、車両の走行駆動源としての電気モータに電源を供給する組電池の場合、走行距離の伸長や、いわゆるハイブリッド車両における燃費の向上に寄与することができる。
【００３４】
制御マイコン１２は、監視ＩＣ２０により検出される組電池１０を構成する各電池セルの電圧に基づき、均等化処理を実行することが必要か否かを判定する。つまり、制御マイコン１２は、各電池セルの電圧のばらつき有無を判定し、電圧のばらつきが有ると判定した場合は均等化処理が必要とみなし、電圧のばらつきが無いと判定した場合は均等化処理が必要ないとみなす。制御装置１００は、イグニッションスイッチがオフされた後、制御マイコン１２を常に起動しておくのではなく、制御マイコン１２を所定時間ごとに起動と停止を繰り返すようにしつつ、制御マイコン１２が起動している間に均等化処理の開始や終了を判断する。
【００３５】
そして、制御マイコン１２は、均等化処理が必要と判定した場合には、監視ＩＣ２０に対して、相対的に電圧が高い電池セルの放電を指示する。また、制御マイコン１２は、均等化処理が必要と判定した場合は、信号線２６を介して監視マイコン１４に均等化処理の未完了通知を行う。その後、制御マイコン１２は、自己保持信号をオフすることにより、電源ＩＣ４４からの電源供給を停止させる。しかしながら、監視ＩＣ２０は、制御マイコン１２が電源停止状態となった後も、均等化処理のための放電を継続する。
【００３６】
このように、監視ＩＣ２０に対して、相対的に電圧が高い電池セルの放電を指示しておくことによって、次回、監視マイコン１４によって起動されたときに、各電池セルの電圧のばらつきが解消されている（各電池セルの電圧が揃っている）可能性がある。
【００３７】
上述したように、制御マイコン１２は、電池セルの放電の開始や終了を監視ＩＣ２０に指示する。このように、制御マイコン１２と監視ＩＣ２０との間で、相互に信号の通信が行われるが、図１に示されるように、制御マイコン１２は低圧系回路に属し、監視ＩＣ２０は高圧系回路に属している。そこで、低圧系回路に属する制御マイコン１２と高圧系回路に属する監視ＩＣ２０との絶縁を確保するために、制御マイコン１２と監視ＩＣ２０との間には、フォトカプラ２４が設けられている。
【００３８】
一方、制御マイコン１２は、均等化処理が必要ないと判定した場合には、監視ＩＣ２０に対する放電の指示は行わない。例えば、前回、監視マイコン１４によって起動されたときに監視ＩＣ２０に放電を指示した場合、今回、監視マイコン１４によって起動された際に、制御マイコン１２は、各電池セルの電池容量が揃っているか否かを判定し、揃っていれば、監視ＩＣ２０による放電を停止させ、均等化処理を終了させる。また、制御マイコン１２は、均等化処理が必要ないと判定した場合は、信号線２６を介して監視マイコン１４に均等化処理の完了通知を行う。その後、制御マイコン１２は、自己保持信号をオフすることにより、電源ＩＣ４４からの電源供給を停止させる。
【００３９】
このように、制御マイコン１２は、監視マイコン１４によって起動されると、組電池１０を構成する各電池セルの電圧のばらつき有無を判定する。そして、制御マイコン１２は、電圧のばらつきが有ると判定した場合、監視マイコン１４に均等化処理の未完了通知を行うとともに、電圧のばらつきを解消するための均等化処理を実行して電源ＩＣ４４による電源供給を停止させる。また、制御マイコン１２は、電圧のばらつきが無いと判定した場合、監視マイコン１４に均等化処理の完了通知を行うとともに、均等化処理を行うことなく電源ＩＣ４４による電源供給を停止させる。
【００４０】
ところで、均等化処理の実施の必要性や、終了時期は、各電池セルの電圧に基づいて判断される。従って、均等化処理の精度を高めるためには、各電池セルの電圧を正確に計測する必要がある。しかしながら、イグニッションスイッチがオンされている間は、組電池の充放電が繰り返し行われる等の理由から組電池の温度が上昇する。また、組電池内部の化学反応により電圧変動が生じる。このような理由から、各電池セルの電圧を正確に計測することが困難になる。そのため、上述のように、均等化処理を、イグニッションスイッチがオフされ、車両が停止されている間の、各電池セルの電圧が安定しているときに実施することが望ましい。
【００４１】
一方、監視マイコン１４は、信号線３７を介してイグニッション信号が入力されるものである。監視マイコン１４は、イグニッションスイッチがオンになると、電源ＩＣ４８から出力される駆動電圧ＶＯＳの提供を受けて起動し、監視モード（通常動作モード）にて動作を開始する。つまり、イグニッションスイッチがオンされることにより、ＯＲゲート４０にオン信号が入力されると、ＯＲゲート４０を介してリレースイッチ４６をオンする信号が出力される。その結果、リレースイッチ４６がオンされると、電源ＩＣ４８から出力される駆動電圧ＶＯＳが監視マイコン１４に供給される。
【００４２】
また、監視マイコン１４は、信号線３４を介して自己保持信号を出力することにより、イグニッションスイッチがオフされた後も、リレースイッチ４６がオンされた状態が維持されるようにする。
【００４３】
監視マイコン１４は、監視モードで動作中、制御マイコン１２から出力されるランパルス、及び監視ＩＣ２０から出力されるダイアグデータなどの信号を入力する。そして、この入力したランパルスに基づいて、制御マイコン１２において異常が発生したか否かを判定する。すなわち、監視マイコン１４は、信号線２６を介して、制御マイコン１２から一定周期で繰り返し出力されるパルス（ランパルス）を監視することにより、制御マイコン１２が正常に動作しているか否かを判定する。なお。逆に、制御マイコン１２も、監視マイコン１４から一定周期で繰り返し出力されるランパルスを利用して、監視マイコン１４が正常に動作しているか否かを監視している。このように、制御マイコン１２と監視マイコン１４とに相互監視を行わせることにより、信頼性を保障している。この制御マイコン１２と監視マイコン１４との相互監視は、制御マイコン１２が起動している間は行うようにしてもよい。
【００４４】
また、制御マイコン１２と監視マイコン１４との相互監視として、さらに、非同期通信により、各々のマイコンのＲＯＭやＲＡＭ異常検出結果を送受信させたり、同じ演算処理を行わせて、その演算結果の照合を行わせたりしても良い。
【００４５】
このような相互監視の結果、監視マイコン１４は、制御マイコン１２に異常が発生したと判断すると、フェールセーフ処理として、メインリレー２２ａ，２２ｂを遮断して、組電池１０からの電源供給を停止させるようにしてもよい。さらに、監視マイコン１４は、電源ＩＣ４４に対し、駆動電圧ＶＯＭの出力を停止するよう指示しても良い。このように制御マイコン１２への電源供給を停止することにより、異常が生じている制御マイコン１２が、組電池１０の制御に関して悪影響を及ぼすような事態の発生を防止することができる。
【００４６】
なお、監視マイコン１４は、制御マイコン１２に比較して能力が低く、回路規模も小さいものであり、その分、消費電力も小さい。従って、監視マイコン１４に駆動電圧ＶＯＳを提供する電源ＩＣ４８は、電源ＩＣ４４に比較して、電流容量は小さい。そのため、後述するように、イグニッションオフ後に監視マイコン１４が待機モードにて動作を継続しても、そのために消費される電力は僅かで済む。
【００４７】
ここで、制御装置１００の特徴的な処理動作に関して説明する。まず、図３，図４を用いて、制御マイコン１２の処理動作に関して説明する。制御マイコン１２は、イグニッションスイッチがオン（オン信号が出力）になると図３に示すフローチャートをスタートする。
【００４８】
ステップＳ１００では、制御マイコン１２は、監視マイコン１４に対して待機モード時間を設定する。このとき、制御マイコン１２は、信号線２６を介して、監視マイコン１４に対して待機モードの継続時間を示す待機モード時間（詳細には、待機モード時間を示す信号）を送信する。なお、この待機モード時間は、固定値であってもよいし、変更することもできる。ただし、本実施形態では、固定値の待機モード時間を採用する。
【００４９】
ステップＳ１１０では、制御マイコン１２は、イグニッション信号判定を行う（第１判定手段）。制御マイコン１２は、信号線３５を介して入力されたイグニッション信号に基づいて、イグニッションスイッチがオフされたか否かを判定する。そして、制御マイコン１２は、信号線３５を介してオフ信号が入力されたと判定した場合は、イグニッションスイッチがオフされたことにより動作終了とみなしてステップＳ１２０へ進む。また、制御マイコン１２は、信号線３５を介してオン信号が入力されていると判定した場合は、イグニッションスイッチがオフされておらず動作終了ではないとみなしてステップＳ１００へ戻る。
【００５０】
ステップＳ１２０では、制御マイコン１２は、図４のフローチャートで示す終了処理を行う。この終了処理では、まず、ステップＳ１２１に示す電池制御終了処理（シャットダウン処理）を実行する。このとき、制御マイコン１２は、制御データのＥＥＰＲＯＭへの退避等を実行する。また、制御マイコン１２は、制御用データの退避以外にも、自身のシャットダウンに必要な処理を行うようにしてもよい。なお、このシャットダウン処理では、車両が停止され、イグニッションスイッチがオフされたのであるから、組電池１０による電源供給はもはや不要となるため、メインリレー２２ａ、２２ｂを遮断する処理も実行される。
【００５１】
その後、ステップＳ１２２では、制御マイコン１２は、タイマ１４２が正常であるか否かの判定を行う（比較手段）。この判定は、監視マイコン１４が待機モードで使用するタイマ１４２が正常であるかを判定するものである。制御マイコン１２は、タイマ１４２が正常であると判定した場合はステップＳ１２３へ進み、タイマ１４２が正常でないと判定した場合はステップＳ１２５へ進む。
【００５２】
ここで、図８を用いて、この判定処理に関して説明する。監視マイコン１４は、タイマ１４１を用いて、タイマ１４２の動作が設定通りに動作することを確認する。監視マイコン１４は、監視モード時にタイマ１４２を例えば５００ｍｓ計時する設定とし、常に動作する。一方、監視マイコン１４における監視モード時に使用するタイマ１４１は、例えば５ｍｓ計時する設定としておく。そして、監視マイコン１４は、タイマ１４１を用いてタイマ１４２の計時周期を計時する。また、タイマ１４２の確認用のカウンタ１４３は、５ｍｓ計時する毎にカウントアップする。そして、監視マイコン１４は、タイマ１４１の計時結果と、タイマ１４２の計時結果とを比較する（比較手段）。監視マイコン１４は、この比較結果を信号線２６を介して制御マイコン１２に送信する。
【００５３】
制御マイコン１２は、監視マイコン１４から送信された比較結果に基づいて、タイマ１４２が正常であるかを判定する。より具体的には、制御マイコン１２は、比較結果に基づいて、タイマ１４１とタイマ１４２の計時結果（誤差）が一定範囲内以内に収まっていればタイマ１４２は正常と判断し、計時結果が一定範囲内以内に収まっていなければタイマ１４２は異常と判断する。
【００５４】
なお、本発明は、これに限定されるものではない。本発明は、タイマ１４２が正常であるか否の判定を行わなくても目的を達成することができる。
【００５５】
ステップＳ１２３では、制御マイコン１２は、均等化起動が必要であるか否かを判定する。これは、均等化起動が必要であるか否は、各電池セルの電圧ばらつきの有無によって判定するものである。制御マイコン１２は、電圧ばらつきが有ると判定した場合は均等化起動が必要であるとみなしてステップＳ１２４へ進み、電圧ばらつきがないと判定した場合は均等化起動が必要ないとみなしてステップＳ１２５へ進む。
【００５６】
ステップＳ１２４では、制御マイコン１２は、図７に示すように、監視マイコン１４に対して待機モード指令（モード指令手段）、且つ、待機モード時間設定を行う。このとき、制御マイコン１２は、監視マイコン１４に対して、待機モードへの遷移を指令する信号、及び待機モード時間を、信号線２６を介して送信する。なお、図７では、単に待機指令と記載している。また、ここでは、待機モード時間を制御マイコン１２が指示するようにしている。しかしながら、監視マイコン１４が自身で待機モード時間を記憶していてもよい。
【００５７】
一方、ステップＳ１２５では、制御マイコン１２は、図７に示すように、監視マイコン１４に対してシャットダウンモード指令（モード指令手段）、且つ、待機モード時間設定を行う。このとき、制御マイコン１２は、監視マイコン１４に対して、シャットダウンモードへの遷移を指令する信号、及び待機モード時間を、信号線２６を介して送信する。なお、図７では、単にシャットダウン指令と記載している。
【００５８】
このように、制御マイコン１２は、イグニッションスイッチがオフであると判定すると（第１判定手段）、監視マイコン１４に対して、待機モードとシャットダウンモードのいずれかのモードに遷移するように指令を行う（モード指令手段）。
【００５９】
ステップＳ１２６では、制御マイコン１２は、自己保持信号をオフする（第１指示手段）。制御マイコン１２は、イグニッションスイッチがオフされた場合には、ステップＳ１２１で制御データのＥＥＰＲＯＭへの退避等のシャットダウン処理を実行した後、信号線３６を介して出力される自己保持信号をオフする。すると、ＯＲゲート３８を介してリレースイッチ４２をオフする信号が出力される。その結果、リレースイッチ４２がオフされると、電源ＩＣ４４とバッテリ５０との接続が遮断されるので、電源ＩＣ４４から駆動電圧ＶＯＭの出力が停止され、制御マイコン１２の電源がオフされる。このように、制御マイコン１２は、自身で電源ＩＣ４４による駆動電圧ＶＯＭの供給を停止（シャットダウン）する。当然ながら、制御マイコン１２は、自身でシャットダウンすると、信号線２６を介して監視マイコン１４に出力していたランパルスも停止する。
【００６０】
次に、図５，図６を用いて、監視マイコン１４の処理動作に関して説明する。監視マイコン１４は、イグニッションスイッチがオンになると図５に示すフローチャートをスタートする。ステップＳ２００では、監視マイコン１４は、監視モード遷移処置を行う。つまり、監視マイコン１４は、監視モードでの動作を実行する。
【００６１】
ステップＳ２１０では、監視マイコン１４は、イグニッションスイッチがオフであるか否かを判定する（第２判定手段）。監視マイコン１４は、信号線３７を介して入力されたイグニッション信号に基づいて、イグニッションスイッチがオフされたか否かを判定する。そして、監視マイコン１４は、信号線３７を介してオフ信号が入力されたと判定した場合は、イグニッションスイッチがオフされたことにより動作終了とみなしてステップＳ２２０へ進む。また、監視マイコン１４は、信号線３７を介してオン信号が入力されていると判定した場合は、イグニッションスイッチがオフされておらず動作終了ではないとみなしてステップＳ２１０へ戻る。
【００６２】
ステップＳ２２０では、監視マイコン１４は、駆動電圧ＶＯＭがオフであるか否かを判定する（電圧監視手段）。つまり、監視マイコン１４は、電源ＩＣ４４から制御マイコン１２への電源電圧ＶＯＭを監視し、電源電圧ＶＯＭに基づいて制御マイコン１２への電源供給が停止されたか否かを判定する。このとき、監視マイコン１４は、信号線３０を介して入力されていたＶＯＭ信号が途絶えと判定した場合に、駆動電圧ＶＯＭがオフであるとみなす。そして、監視マイコン１４は、駆動電圧ＶＯＭがオフであると判定した場合はステップＳ２３０へ進み、駆動電圧ＶＯＭがオフでないと判定した場合はステップＳ２１０へ戻る。
【００６３】
ステップＳ２３０では、監視マイコン１４は、図６のフローチャートで示す終了処理（終了処理手段）を行う。監視マイコン１４は、この終了処理では、まず、ステップＳ２３１に示すモード指示判定を実行する。監視マイコン１４は、信号線２６を介して、制御マイコン１２からモード指令を受け取ったか否かを判定する。そして、監視マイコン１４は、モード指令を受け取ったと判定した場合はステップＳ２３２へ進み、モード指令を受け取ってないと判定した場合はステップＳ２３４へ進む。
【００６４】
ステップＳ２３２では、監視マイコン１４は、モード指令判定を行う。監視マイコン１４は、制御マイコン１２から受け取ったモード指令が待機モードへの遷移への指令を示すものは、シャットダウンモードへの遷移を示すものかを判定する。そして、待機モードへの遷移への指令と判定した場合はステップＳ２３３へ進み、シャットダウンモードへの遷移への指令と判定した場合はステップＳ２３４へ進む。
【００６５】
ステップＳ２３３では、監視マイコン１４は、待機モードへの遷移処理を行う。つまり、監視マイコン１４は、待機モードで動作する。このように、監視マイコン１４が待機モードで動作するのは、制御マイコン１２がステップＳ１２３で均等化起動が必要と判定した場合である。つまり、監視マイコン１４は、待機モードへの指令を受け取った場合、均等化処理の未完了通知を受け取ったとみなすこともできる。
【００６６】
監視マイコン１４は、待機モードで動作を始めると電源ＩＣ４８からの駆動電圧ＶＯＳの供給を遮断せずに、低消費電力モードを継続させて待機する。そして、監視マイコン１４は、待機モードで動作を始めるとタイマ１４２を使って時間の計時を開始する。さらに、監視マイコン１４は、計時した時間が待機モード時間に達すると、所定時間に達したとみなして、信号線３２を介して起動信号を出力することで電源ＩＣ４４に対して制御マイコン１２への電源供給を指示する。
【００６７】
このように、監視マイコン１４が起動信号を出力すると、ＯＲゲート３８を介して、リレースイッチ４２をオンする信号が出力される。その結果、リレースイッチ４２がオンされ、電源ＩＣ４４による制御マイコン１２への電源供給が再開され、制御マイコン１２が起動する。このとき、制御マイコン１２は、信号線３６を介して自己保持信号を出力することにより、均等化起動信号がオフされた後も、リレースイッチ４２がオンされた状態が維持されるようにする。
【００６８】
ステップＳ２３４では、監視マイコン１４は、シャットダウンモードへの遷移処理を行う。監視マイコン１４は、シャットダウンモードに遷移すると、ステップＳ２３５での処理を実行する。
【００６９】
ステップＳ２３５では、監視マイコン１４は、自己保持信号をオフする。電源ＩＣ４８とバッテリ５０との間に設けられたリレースイッチ４６は、通常はオンしている。このため、電源ＩＣ４８は、原則として常時、監視マイコン１４に駆動電圧ＶＯＳを提供する。
【００７０】
ただし、制御マイコン１２によって均等化処理が完了した（もしくは均等化処理が不要）と判定された場合には、その後、制御マイコン１２に均等化処理を実行させるために、監視マイコン１４がタイマ１４２を用いてカウント動作を継続する必要はない。また、制御マイコン１２と監視マイコン１４との通信に異常が発生して、監視マイコン１４がモード指令を受け取れなかった場合、監視マイコン１４を動作させておく必要がないにもかかわらず、監視マイコン１４を動作させてしまう可能性がある。さらに、監視マイコン１４に設けられたタイマ１４２が異常である場合、待機モードが想定外の時間分継続し、バッテリ５０が不必要に消耗する可能性がある。
【００７１】
このため、監視マイコン１４は、ステップＳ２３５では、信号線３４を介して出力される自己保持信号をオフする。すると、ＯＲゲート４０を介してリレースイッチ４６をオフする信号が出力される。その結果、リレースイッチ４６がオフされると、電源ＩＣ４８とバッテリ５０との接続が遮断されるので、電源ＩＣ４８から駆動電圧ＶＯＳの出力が停止され、監視マイコン１４の電源がオフされる。この監視マイコン１４におけるオフ状態は、イグニッションスイッチがオンされることにより、ＯＲゲート４０にオン信号が入力され、ＯＲゲート４０を介してリレースイッチ４６をオンする信号が出力されるまで継続される。
【００７２】
監視マイコン１４は、イグニッションスイッチがオフされると通常動作モードから待機モードに切替わり、更に、制御マイコン１２から完了通知を受けた場合、電源ＩＣ４８による電源供給を停止させることにより、イグニッションスイッチがオンされることに応じて電源ＩＣ４８が電源供給を再開するまで、電源ＩＣ４８による電源供給が停止される。
【００７３】
このように、監視マイコン１４は、イグニッションスイッチがオフであると検出されると共に、制御マイコン１２への電源供給が停止されたと判定されると、制御マイコン１２からの指令に応じて待機モードへの遷移処理又はシャットダウンモードへの遷移処理を行う（終了処理手段）。また、監視マイコン１４は、シャットダウンモードへの遷移処理を行った後、電源ＩＣ４８に対して出力していた自己保持信号をオフすることで、電源供給の停止を指示する（終了処理手段）。
【００７４】
しかしながら、監視マイコン１４は、イグニッションスイッチがオフであると検出されると共に、制御マイコン１２への電源供給が停止されたと判定され、且つ、制御マイコン１２からモード指令を受けていない場合は、シャットダウンモードへの遷移処理を行う（終了処理手段）。つまり、ステップＳ２３１でＮＯ判定の場合は、シャットダウンモードへの遷移処理を行う。このように、監視マイコン１４は、制御マイコン１２からの指令を受けていない場合、シャットダウンモードへ遷移するので、監視マイコン１４と制御マイコン１２との通信に異常が発生したとしても、シャットダウンモードへ遷移することができる。よって、イグニッションスイッチがオフされている間の消費電力を低減することができる。また、監視マイコン１４は、イグニッションスイッチがオフであり、且つ、制御マイコン１２への電源供給が停止された場合にシャットダウンモードに遷移するため、制御マイコン１２に対して電源供給がされているにもかかわらず、シャットダウンモードに遷移することを抑制することができる。
【００７５】
また、監視マイコン１４のみが故障した場合であっても、制御マイコン１２は監視マイコン１４の影響を受けずに動作するため、車両として走行不可とならずに退避走行等を行うことが可能となる。
【００７６】
さらに、制御マイコン１２は、上述のステップＳ１２２，Ｓ１２５で示したように、タイマ１４２が正常でないと判定した場合、シャットダウンモード指令を行う。よって、監視マイコン１４は、タイマ１４２が正常でない場合、待機モードに遷移することなく、シャットダウンモードに遷移することになる（終了処理手段）。これによって、タイマ１４２が異常である場合に、監視マイコン１４の故障によるバッテリ５０の消耗を防ぐためである。つまり、タイマ１４２が異常である場合に、シャットダウン指令を行うことによって、監視マイコン１４を待機モードに遷移せずにシャットダウンモードに遷移させることができる。これによって、待機モードが想定外の時間分継続し、バッテリ５０が不必要に消耗するのを防止することができる。
【００７７】
なお、監視マイコン１４は、タイマ１４１の計時結果とタイマ１４２の計時結果とが異なると判断した場合、両計時結果の誤差を算出し、この誤差に基づいてタイマ１４２を補正するようにしてもよい（終了処理手段）。このようにすることによって、タイマ１４２が正常でない場合であっても、即座に監視マイコン１４をシャットダウンモードに遷移しないようすることができる。つまり、タイマ１４２が正常でない場合であっても、監視マイコン１４を待機モードに遷移しやすくすることができる。このように、待機モードに遷移しやすくすることで、分極解消時間を待つことができる。さらに、電池制御を継続し、車両を走行不可とさせずに退避走行等を行わせることが可能となる。
【００７８】
以上、本発明の好ましい実施形態について説明したが、本発明は上述した実施形態に何ら制限されることはなく、本発明の趣旨を逸脱しない範囲において、種々の変形が可能である。
【００７９】
（変形例１）
ここで、図９、図１０を用いて、制御装置１００の変形例１に関して説明する。上述の実施形態では、待機モード時間として固定値を採用した。しかしながら、本発明はこれに限定されるものではない。制御マイコン１２が待機モード時間を変更することもできる。
【００８０】
例えば、図９に示すように、イグニッションオフ後の一回目の待機モード時間は、分極解消を待つための時間（分極解消待機時間）とする。ここでは、一例として１０分を採用している。そして、イグニッションオフ後の二回目の待機モード時間は、均等化起動する際の最適な時間（均等化起動間隔時間）とする。ここでは、一例として１時間を採用している。
【００８１】
ここで、分極解消待機時間の考え方について説明する。組電池１０は、充放電電流が大きいほど分極発生が大きく、充放電電流が小さいほど分極発生が小さい。よって、充放電電流が大きいほど分極解消待機時間を長くし、充放電電流が小さいほど分極解消待機時間を短くする。つまり、制御マイコン１２は、このように組電池１０の分極が解消する解消時間を推測すると共に、この解消時間をイグニッションオフ後の一回目の待機モード時間として監視マイコン１４に送信する。
【００８２】
また、組電池１０は、組電池１０の温度が高温になるほど分極解消時間が短く、温度が低温になるほど分極解消時間が長くなる。よって、温度が高温になるほど分極解消待機時間を短くし、温度が低温になるほど分極解消待機時間を長くする。
【００８３】
次に、均等化起動間隔時間の考え方について説明する。組電池１０は、残容量が多いほど電圧変動は小さく、残容量が少ないほど電圧変動が大きくなる。よって、電池残存容量が多いほど均等化起動間隔を長くし、電池残存容量が少ないほど均等化起動間隔を短くする。このように、制御マイコン１２は、組電池１０の残容量が多いほど待機モード時間を長く設定すると好ましい。なお、均等化起動間隔が短いと、イグニッションスイッチがオフである時の制御マイコン１２の起動時間(起動回数)が増えて暗電流が増加する。このため、均等化起動間隔時間は、組電池１０の残容量を考慮した上で極力長く確保するのが望ましい。
【００８４】
このようにすることで、監視マイコン１４の動作時間を必要最小限にすることが出来る。また、このように、均等化起動間隔時間を調整することで、例えば、制御装置１００を他モデルに流用した場合であっても、多種多様の組電池に最適な均等化処理を行うことが可能となる。言い換えると、監視マイコン１４のソフトウェアを更新することなく、様々な均等化処理ロジックに対応することが出来る。なお、イグニッションオフ後の一回目の待機モード時間においても、均等化起動間隔時間を採用してもよい。
【００８５】
なお、制御マイコン１２は、イグニッションオフ後の待機モードの順番に関連付けられた複数の待機モード時間を含む待機モード時間パターンを監視マイコン１４に対して送信するようにしてもよい。この場合、監視マイコン１４は、待機モードで動作した回数をカウントするものであり、待機モードで動作した回数と待機モード時間パターンとから、今回の待機モードに採用する待機モード時間を選択する。つまり、監視マイコン１４は、受信した待機モード時間パターンに従い、待機モード遷移とイグニッションＯＦＦ起動を逐次実施する。
【００８６】
このようにすることによって、監視マイコン１４は、この待機モード時間パターンを受け取っていると、後に制御マイコン１２と監視マイコン１４との通信の異常が発生してモード指令を受け取れなくても、以降のイグニッションＯＦＦ起動を最適時間により実施することができる。
【００８７】
（変形例２）
上述の実施形態では、監視マイコン１４は、制御マイコン１２からモード指令を受け取っていない場合はシャットダウンモードに遷移する例を採用した。しかしながら、本発明はこれに限定されるものではない。
【００８８】
変形例２における監視マイコン１４は、イグニッションスイッチがオフであると検出されると共に、制御マイコン１２への電源供給が停止されたと判定され、且つ、制御マイコン１２からモード指令を受けていない場合、監視マイコン１４と制御マイコン１２との通信異常とみなして通信異常回数をカウントする（終了処理手段）。そして、監視マイコン１４は、イグニッションスイッチがオフであると検出されると共に、制御マイコン１２への電源供給が停止されたと判定され、且つ、制御マイコン１２からモード指令を受けていないことに加えて、通信異常回数が規定値（２以上の自然数）に達していることを条件にシャットダウンモードへの遷移処理を行い、通信異常回数が規定値に達していない場合は待機モードへの遷移処理を行うようにしてもよい（終了処理手段）。
【００８９】
図１０，図１１，図１２を用いて、変形例２における制御装置１００（主に監視マイコン１４）の処理動作を説明する。なお、変形例２における制御装置１００の構成は、上述の実施形態によるものと同様であるため同じ符号を採用して、説明は省略する。また、変形例２における制御装置１００の処理動作は、上述の実施形態によるものと同様である点が多いため、同様である点はフローチャートにおいて同じステップ番号を付与して説明を省略する。
【００９０】
まず、図１０のステップＳ２１１に示すように、監視マイコン１４は、イグニッションスイッチがオフでないと判定した場合は、通信異常チェックを実施する。
【００９１】
また、図１１のステップＳ２３６に示すように、監視マイコン１４は、制御マイコン１２からモード指令を受け取っていない場合（ステップＳ２３１でＮＯ判定）、通信異常回数をカウントする。例えば、図１２には、通信異常回数を２までカウントした例を示している。
【００９２】
ステップＳ２３７では、監視マイコン１４は、通信異常回数が規定値以上であるか否かを判定する。例えば、図１２に示す例では、規定値として２を採用している。そして、通信異常回数が規定値以上であると判定した場合はステップＳ２３４へ進み、通信異常回数が規定値以上でないと判定した場合はステップＳ２３３へ進む。なお、監視マイコン１４は、通信正常復帰時は通信異常回数のカウント値をクリアして、受信したモード指令に従う。
【００９３】
このようにすることによって、監視マイコン１４は、イグニッションスイッチがオフであり、制御マイコン１２への電源供給が停止され、且つ、制御マイコン１２からの指令を受けていない場合に、即座にシャットダウンモードへ遷移することを抑制することができる。言い換えると、監視マイコン１４は、通信異常が発生して制御マイコン１２から指令を受けていない場合であっても、通信異常回数が規定値に達するまでは、待機モードに遷移することができる。よって、通信異常が発生しても、通信異常回数が規定値に達するまでは、イグニッションスイッチがオフである場合に制御マイコンへの電源供給を行うことができる。
【００９４】
また、これによって、分極電圧の解消を待つために一度は待機モードに遷移させることができる。例えば、図１２において、通信異常回のカウント値が１の時点で電池の分極解消ができてない場合、通信異常回のカウント値が２になると監視マイコン１４をシャットダウンモードに遷移させることができる。
【００９５】
さらに、通信異常回数が規定値に達すると、監視マイコン１４をシャットダウンモードに遷移することができるので、イグニッションスイッチがオフであるときの暗電流をカットすることもできる。
【００９６】
また、通信異常発生時であっても、下記の通信異常発生時の待機モード時間決定方法により待機モードの時間を可変決定することで、組電池制御システムとして最適な値を選択、算出することが可能となり、イグニッションオフ時のバッテリ５０消費を必要最小限に抑えることが出来る。
【００９７】
通信異常発生時の待機モード時間決定方法の一例としては、通信異常発生した場合、通信正常時に受信した待機モード時間を使用する。例えば、通信正常時で直近に受信した待機モード時間を使用する。又は、上述の変形例１で説明したように、待機モード時間パターンを使用する。
【００９８】
また、別の例としては、通信異常発生した場合、待機モード時間の初期値を使用する。例えば、待機モード時間の初期値が１時間であった場合、通信異常発生すると、この初期値である１時間を待機モード時間として採用する。
【００９９】
また、別の例としては、通信異常発生した場合、監視モード滞在時間から監視マイコン自身が最適値を算出する。
【符号の説明】
【０１００】
１０  組電池、１２  制御マイコン、１４  監視マイコン、４４  電源ＩＣ（第１電源回路）、４８  電源ＩＣ（第２電源回路）、１００  組電池制御装置
【図１】
2014058290.tif 000003
【図２】
2014058290.tif 000004
【図３】
2014058290.tif 000005
【図４】
2014058290.tif 000006
【図５】
2014058290.tif 000007
【図６】
2014058290.tif 000008
【図７】
2014058290.tif 000009
【図８】
2014058290.tif 000010
【図９】
2014058290.tif 000011
【図１０】
2014058290.tif 000012
【図１１】
2014058290.tif 000013
【図１２】
2014058290.tif 000014